(57)【要約】【課題】本発明は、光が不足する環境下で快適に操作できるキーボードを提供する。【解決手段】本発明に係るキーボードは、パネル、前記パネルに設置される複数のキーボタン、発光モジュール及びコントロールユニットを備え、前記発光モジュールは、カバーボード及び前記カバーボードに設置された発光素子を備え、前記カバーボードは前記パネルに回転可能に接続され、前記カバーボードが前記パネルに対して開ける場合、前記発光素子からの光は前記キーボタンを照らすことができ、前記コントロールユニットは、角度センサー及びコントローラーを備え、前記角度センサーは、前記カバーボードと前記パネルとの間の角度を感知して対応する角度信号を生成し、前記コントローラーは、前記角度信号を受信し且つ前記角度信号に基づいて前記発光素子が発光するか又は発光しないかを制御する。【選択図】図１
2013127781.tif 000002
【特許請求の範囲】
【請求項１】
パネル及び前記パネルに設置される複数のキーボタンを備えるキーボードであって、  前記キーボードは、発光モジュール及びコントロールユニットをさらに備え、  前記発光モジュールは、カバーボード及び前記カバーボードに設置された発光素子を備え、前記カバーボードは前記パネルに回転可能に接続され、前記カバーボードを前記パネルに対して開ける場合、前記発光素子からの光は前記キーボタンを照らすことができ、  前記コントロールユニットは、角度センサー及びコントローラーを備え、前記角度センサーは、前記カバーボードと前記パネルとの間の角度を感知して対応する角度信号を生成し、前記コントローラーは、前記角度信号を受信し且つ前記角度信号に基づいて前記発光素子が発光するか又は発光しないかを制御することを特徴とするキーボード。
【請求項２】
前記コントローラーは前記角度信号を具体的な数値に変換し、前記具体的な数値が所定の角度範囲にあると、前記コントローラーは、前記発光素子に第一制御信号を出力して、前記発光素子が発光するように制御し、前記具体的な数値が所定の角度範囲になければ、前記コントローラーは、前記発光素子に第二制御信号を出力して、前記発光素子が発光しないように制御することを特徴とする請求項１に記載のキーボード。
【請求項３】
前記パネルには収容スロットが形成され、前記収容スロットの底壁には収容孔が設けられ、前記カバーボードは、前記収容スロットに回転可能に収容され、前記発光素子は、前記収容孔に収容されることを特徴とする請求項１に記載のキーボード。
【請求項４】
前記キーボードは、調節ノブをさらに備え、前記調節ノブは、前記パネルに設置され且つ前記コントローラーに電気的に接続され、前記調節ノブによって前記発光素子から発する光の輝度を調節することを特徴とする請求項１に記載のキーボード。
【発明の詳細な説明】
【技術分野】
【０００１】
本発明は、入力装置に関するものであり、特にキーボードに関するものである。
【背景技術】
【０００２】
暗い条件下でコンピュータを使用する場合、キーボードの誤操作が発生し易いので、ユーザーに不便をもたらす。
【発明の概要】
【発明が解決しようとする課題】
【０００３】
本発明の目的は、光が不足する環境下で快適に操作できるキーボードを提供することである。
【課題を解決するための手段】
【０００４】
前記目的を達成するため、本発明に係るキーボードは、パネル、前記パネルに設置される複数のキーボタン、発光モジュール及びコントロールユニットを備え、前記発光モジュールは、カバーボード及び前記カバーボードに設置された発光素子を備え、前記カバーボードは前記パネルに回転可能に接続され、前記カバーボードを前記パネルに対して開ける場合、前記発光素子からの光は前記キーボタンを照らすことができ、前記コントロールユニットは、角度センサー及びコントローラーを備え、前記角度センサーは、前記カバーボードと前記パネルとの間の角度を感知して対応する角度信号を生成し、前記コントローラーは、前記角度信号を受信し且つ前記角度信号に基づいて前記発光素子が発光するか又は発光しないかを制御する。
【発明の効果】
【０００５】
本発明に係るキーボードは、パネルに発光素子を有するカバーボードを設置して、カバーボードをパネルに対して所定の角度に回転させると、コントローラーは発光素子が発光するように制御して、発光素子からの光がキーボードの複数のキーボタンを照らして、光が不足する環境下でも、ユーザーがキーボードを快適に操作することができる。
【図面の簡単な説明】
【０００６】
【図１】本発明の実施形態に係るキーボードの斜視図である。
【図２】図１に示すキーボードの分解図である。
【図３】図２に示すキーボードのＣ部分の拡大図である。
【図４】本発明の実施形態に係るキーボードのコントロールユニットの機能ブロック図である。
【発明を実施するための形態】
【０００７】
図１を参照すると、本発明の実施形態に係るキーボード１００は、互いに反対側に位置する第一表面１１及び第二表面１４を備えるパネル１０と、複数のキーボタン２０と、発光モジュール３０と、コントロールユニット４０（図４を参照）と、調節ノブ５０と、を備える。複数のキーボタン２０、発光モジュール３０及び調節ノブ５０は、全てパネル１０に設置される。
【０００８】
図２及び図３を参照すると、複数のキーボタン２０は、パネル１０の第一表面１１に設置されて、文字を入力するために用いられる。パネル１０の長手方向の片側である複数のキーボタン２０の上方には、収容スロット１２が設けられる。収容スロット１２は、発光モジュール３０を収容するために用いられ、底壁１２２、側壁１２４及び２つの端壁１２６を備える。底壁１２２には、ほぼ同じ直線に位置する複数の収容孔１２８が設けられる。２つの端壁１２６は側壁１２４の両側に位置し、各々の端壁１２６は弧形を呈し、各々の端壁１２６の側壁１２４から離れている一端には、軸孔１２９が設けられ、２つの端壁１２６の軸孔１２９は、対向して設置される。
【０００９】
発光モジュール３０は、収容スロット１２に収容されており、パネル１０に対して回転可能に開けることができる。発光モジュール３０は、カバーボード３２及び複数の発光素子３４を備える。カバーボード３２は、主体部３２２、２つの回転軸３２４、湾曲部３２６及び操作部３２８を備える。２つの回転軸３２４は、主体部３２２の片側の両端に設置され、且つパネル１０の２つの軸孔１２９に挿入されて、カバーボード３２をパネル１０に回転可能に枢着させる。湾曲部３２６は、主体部３２２の他側から延在して形成される。操作部３２８は主体部３２２の外側に設置され、ユーザーが操作部３２８を操作する際、カバーボード３２が連動する。
【００１０】
複数の発光素子３４は、全て発光ダイオードであり、カバーボード３２の主体部３２２の内側に互いに離隔して設置され、且つ湾曲部３２６の下方に位置する。発光モジュール３０を収容スロット１２に収容すると、複数の発光素子３４は、複数の収容孔１２８にそれぞれに収容される。操作部３２８を操作して、発光モジュール３０をパネル１０に対して回転させて開けると、発光素子３４から発する光が、キーボード２０の第一表面１１を照らして、ユーザーは光が不足する環境下でもキーボード１００を快適に操作することができる。湾曲部３２６が存在するため、発光素子３４から発する光は湾曲部３２６に遮られて発散し難く、より多くの光がパネル１０の第一表面１１を照らすことになる。
【００１１】
コントロールユニット４０は、カバーボード３２とパネル１０との間の角度に基づいて、複数の発光素子３４が同時に発光するか又は発光しないかを制御するために用いられる。コントロールユニット４０は、電源４２、角度センサー４４及びコントローラー４６を備える。電源４２は、キーボード１００が端末設備から入力した５Ｖ電源であり、コントローラー４６に電気的に接続されて、コントローラー４６に作動電圧を提供する。角度センサー４４は、回転軸３２４近くの軸孔１２９内に収容されて、且つコントローラー４６に電気的に接続され、カバーボード３２とパネル１０との間の回転角度を感知して、コントローラー４６に角度信号を伝送する。発光素子３４は、コントローラー４６に電気的に接続される。コントローラー４６は、角度センサー４４からの角度信号を受信し、且つ受信した角度信号を具体的な数値に変換してから所定の角度範囲（例えば、３０〜１１０度である）と対比して、対比結果に基づいて発光素子３４を制御する。具体的な数値が所定の角度範囲内にあると、コントローラー４６は発光素子３４に第一制御信号（例えば、高レベル信号である）を出力して、発光素子３４が発光するように制御する。具体的な数値が所定の角度範囲内になければ、コントローラー４６は発光素子３４に第二制御信号（例えば、低レベル信号である）を出力して、発光素子３４が発光しないように制御する。
【００１２】
調節ノブ５０は、パネル１０に設置され且つコントローラー４６に電気的に接続される。調節ノブ５０によって、コントローラー４６が発光素子３４に提供する電流の大きさを調節することができるため、発光素子３４から発する光の輝度を調節して、異なる環境下でのキーボード照明に関する需要を満たすことが可能である。
【００１３】
光が不足する環境下でキーボード１００を操作する場合、操作部３２８を操作して、発光モジュール３０を収容スロット１２から開けることで、角度センサー４４は、カバーボード３２とパネル１０との間の角度を感知して、コントローラー４６に角度信号を伝送し、コントローラー４６は、角度信号を具体的に数値に変換して所定の角度範囲と対比する。カバーボード３２の回転角度が所定の角度範囲にあると、コントローラー４６は、発光素子３４が発光するように制御する。発光素子３４が発光する必要がない場合、カバーボード３２を反方向に回転させて、コントローラー４６は、発光素子３４が発光しないように制御する。
【００１４】
本発明のキーボード１００において、パネル１０に発光素子３４を有するカバーボード３２を設置し、カバーボード３２がパネル１０に対して所定の角度に回転すると、コントローラー４６は発光素子３４が発光するように制御して、発光素子３４からの光がキーボタン２０を照らして、光が不足する環境下でも、ユーザーはキーボード１００を快適に操作することができる。
【００１５】
以上本発明を実施形態に基づいて具体的に説明したが、本発明は上述の実施形態に限定されるものではなく、その要旨から逸脱しない範囲において、種々変更可能であることは勿論であって、本発明の保護範囲は、以下の特許請求の範囲によって規定される。
【符号の説明】
【００１６】
１０  パネル
１１  第一表面
１２  収容スロット
１４  第二表面
３０  発光モジュール
３２  カバーボード
３４  発光素子
４０  コントロールユニット
４２  電源
４４  角度センサー
４６  コントローラー
５０  調節ノブ
１００  キーボード
１２２  底壁
１２４  側壁
１２６  端壁
１２８  収容孔
１２９  軸孔
３２２  主体部
３２４  回転軸
３２６  湾曲部
３２８  操作部
【図１】
2013127781.tif 000003
【図２】
2013127781.tif 000004
【図３】
2013127781.tif 000005
【図４】
2013127781.tif 000006